(57)【要約】【課題】  スリット照明用の光源が球切れしても、簡単に対応でき、被検者眼の観察を続行できるスリットランプを提供する。【解決手段】  被検者眼をスリット照明するために白色光を発する第１光源を持ち、該第１光源から発せられた光をスリット及びレンズを介して被検者眼を照明する照明光学系を有するスリット照明ユニットを備え、スリット照明光により照明された被検者眼を観察するスリットランプにおいて、前記スリット照明の照射部位の周辺を含む観察部位を照明するための補助照明ユニットであって、白色光を発する第２光源と該第２光源から光を被検者眼に導光する導光光学系とを備える補助照明ユニットと、前記導光光学系から前記第２光源を分離させ、前記第１光源に代えて前記照明光学系の所定位置に前記第２光源を移動させる移動手段と、を備える。【選択図】      図２
2012249700.tif 000002
【特許請求の範囲】
【請求項１】
被検者眼をスリット照明するために白色光を発する第１光源を持ち、該第１光源から発せられた光をスリット及びレンズを介して被検者眼を照明する照明光学系を有するスリット照明ユニットを備え、スリット照明光により照明された被検者眼を観察するスリットランプにおいて、
前記スリット照明の照射部位の周辺を含む観察部位を照明するための補助照明ユニットであって、白色光を発する第２光源と該第２光源から光を被検者眼に導光する導光光学系とを備える補助照明ユニットと、
前記導光光学系から前記第２光源を分離させ、前記第１光源に代えて前記照明光学系の所定位置に前記第２光源を移動させる移動手段と、
を備える、ことを特徴とするスリットランプ。
【請求項２】
請求項１のスリットランプにおいて、
前記スリット照明ユニットは前記第１光源及び照明光学系が配置された筐体を備え、
前記第２光源は前記筐体内に配置され、
前記導光光学系の入射端は前記筐体内で第２光源からの光が入射される位置に配置され、前記導光光学系の出射端は前記筐体から外部に延ばされて位置し、
前記移動手段は、前記第１光源及び第２光源をそれぞれ所定位置で保持する保持部材を有すると共に、前記保持部材を移動させて前記照明光学系の所定位置に前記第２光源を位置させる操作部材を有するか、又は前記照明光学系の所定位置に第２光源を位置させるように前記保持部材を移動させる駆動源を有する、ことを特徴とするスリットランプ。
【請求項３】
請求項１又は２のスリットランプにおいて、
前記移動手段は、前記第１光源を前記照明光学系から離脱させると共に、前記導光光学系から離脱させた前記第２光源を前記照明光学系の所定位置にスライドさせるスライド機構と、
前記第２光源を前記照明光学系の所定位置に位置決めするストッパと、を有する、ことを特徴とするスリットランプ。
【請求項４】
請求項１〜３の何れかのスリットランプにおいて、
前記補助照明ユニットは、第２光源から発光された照明光を導光する光ファイバを有し、
前記光ファイバの入射端は、前記第２光源に近接して配置される、
ことを特徴とする、スリットランプ。
【請求項５】
請求項１のスリットランプにおいて、
前記第１光源及び第２光源は、白色発光ダイオードである、
ことを特徴とするスリットランプ。
【請求項６】
請求項１〜４のスリットランプにおいて、
前記第１光源及び第２光源は、白色発光ダイオードであり、各ダイオードを駆動するための一つの基板上に配置されている、ことを特徴とするスリットランプ。
【発明の詳細な説明】
【技術分野】
【０００１】
本発明は、被検者眼の観察等を行う観察ユニットを備えるスリットランプに関する。
【背景技術】
【０００２】
眼科の診察では、被検者眼を観察するために、被検者眼にスリット光（スリット照明光）を投光するスリット照明ユニットと、観察ユニットである顕微鏡ユニットを備えるスリットランプ（細隙灯顕微鏡）が使用される。また、スリットランプでは、スリット光で照明された観察部位以外の部位も撮影するために、スリット照明の照射部位の周辺を含む観察部位を照明する補助照明（バックライト）ユニットを設けたものがある。
【０００３】
ところで、スリット照明の光源として使用されるハロゲンランプ等のランプ類は、寿命が短く、検査中に球切れしやすい。このため、簡単な動作で球切れしたランプを補助用のランプに切換える技術が提案されている（例えば、特許文献２参照）。
【０００４】
近年では、ハロゲンランプ等に替えて高輝度の白色発光ダイオード（ＬＥＤ）を光源に用いる装置が登場してきている。ＬＥＤは、ハロゲンランプ等に比べて長寿命であり、球切れの可能性は低い。
【先行技術文献】
【特許文献】
【０００５】
【特許文献１】特開平１１−１６９３４６号公報
【特許文献２】特開２００３―１３５４００号公報
【発明の開示】
【発明が解決しようとする課題】
【０００６】
しかしながら、光源としてＬＥＤを使用したとしても、その球切れはありうる。眼科医療でのスリットランプによる被検者眼の観察は、日常的な眼科診療として行われているものであり、照明光源が球切れした場合に、即座に光源が交換できなければ、その後の患者（被検者）の観察ができず、眼科医療の診断ができなくなってしまう。また、光源としてＬＥＤが使用されている場合には、ハロゲンランプに比べて長寿命であるが故に交換の頻度が低く、予備の光源が準備されていない場合や、検者に交換の経験がなく、光源の交換ができない場合等、即座に球切れに対応ができないこともある。
【０００７】
本発明は、上記従来技術の課題に鑑み、スリット照明用の光源が球切れしても、簡単に対応でき、被検者眼の観察を続行できるスリットランプを提供すること技術課題とする。
【課題を解決するための手段】
【０００８】
上記課題を解決するために、本発明は、以下のような構成を有することを特徴とする。
（１）  被検者眼をスリット照明するために白色光を発する第１光源を持ち、該第１光源から発せられた光をスリット及びレンズを介して被検者眼を照明する照明光学系を有するスリット照明ユニットを備え、スリット照明光により照明された被検者眼を観察するスリットランプにおいて、
前記スリット照明の照射部位の周辺を含む観察部位を照明するための補助照明ユニットであって、白色光を発する第２光源と該第２光源から光を被検者眼に導光する導光光学系とを備える補助照明ユニットと、
前記導光光学系から前記第２光源を分離させ、前記第１光源に代えて前記照明光学系の所定位置に前記第２光源を移動させる移動手段と、
を備える、ことを特徴とする。
（２）  （１）のスリットランプにおいて、  前記スリット照明ユニットは前記第１光源及び照明光学系が配置された筐体を備え、
前記第２光源は前記筐体内に配置され、
前記導光光学系の入射端は前記筐体内で第２光源からの光が入射される位置に配置され、前記導光光学系の出射端は前記筐体から外部に延ばされて位置し、
前記移動手段は、前記第１光源及び第２光源をそれぞれ所定位置で保持する保持部材を有すると共に、前記保持部材を移動させて前記照明光学系の所定位置に前記第２光源を位置させる操作部材を有するか、又は前記照明光学系の所定位置に第２光源を位置させるように前記保持部材を移動させる駆動源を有する、ことを特徴とする。
（３）  （１）又は（２）のスリットランプにおいて、
前記移動手段は、前記第１光源を前記照明光学系から離脱させると共に、前記導光光学系から離脱させた前記第２光源を前記照明光学系の所定位置にスライドさせるスライド機構と、
前記第２光源を前記照明光学系の所定位置に位置決めするストッパと、を有する、ことを特徴とする。
（４）  （１）〜（３）の何れかのスリットランプにおいて、
前記補助照明ユニットは、第２光源から発光された照明光を導光する光ファイバを有し、
前記光ファイバの入射端は、前記第２光源に近接して配置される、ことを特徴とする。
（５）  （１）のスリットランプにおいて、
前記第１光源及び第２光源は、白色発光ダイオードである、ことを特徴とする。
（６）  （１）〜（４）のスリットランプにおいて、
前記第１光源及び第２光源は、白色発光ダイオードであり、各ダイオードを駆動するための一つの基板上に配置されている、ことを特徴とする。
【発明の効果】
【０００９】
本発明によれば、スリット照明用の光源が球切れしても、簡単に対応でき、被検者眼の観察を続行できる。
【発明を実施するための形態】
【００１０】
以下、本発明の実施の形態を図面に基づいて説明する。図１は、本発明の実施形態であるスリットランプの側面図である。図２は、スリットランプの光学系の概略構成図である。
【００１１】
スリットランプ（細隙灯顕微鏡）１００は、顔支持ユニット１０と、移動ユニット２０と、照明ユニット６０と、顕微鏡ユニット（観察ユニット）７０と、を備え、テーブル１に保持されている。
【００１２】
移動ユニット２０は、テーブル１上に固定されたベース２に配置され、テーブル１上で水平方向（左右方向（Ｘ方向）及び前後方向（Ｚ方向））に摺動可能なスライドベース（摺動台）２１と、スライドベース２１を移動させるために検者の手に把持されて傾倒操作されるジョイスティック（操作棹）２２と、スライドベース２１から上方に略鉛直方向（Ｙ方向）に延びるベースシャフト（基軸）２４と、を備えている。ジョイスティック２２の頭頂部には、撮影信号を入力するためのシャッタボタン（スイッチ）２３が設けられている。
【００１３】
移動ユニット２０は、ジョイスティック２２が左右前後に傾倒されることによってスライドベース２１（及びベースシャフト２４）を水平方向（左右及び前後方向（Ｘ及びＺ方向））に移動させる周知の摺動機構を備えている。さらにまた、移動ユニット２０は、ジョイスティック２２      が水平方向に回転されることによってベースシャフト２４を上下方向に移動させる上下動機構を備えている。
【００１４】
ベースシャフト２４には、照明ユニット６０を支持するアーム６０ａと、顕微鏡ユニット７０を支持するアーム７０ａと、が、ベースシャフト２４の中心軸Ａを中心に個々に水平方向に回転可能に支持されている。これにより、照明ユニット６０及び顕微鏡ユニット７０は、中心軸Ａを中心に別個に水平方向に回転できる。
【００１５】
顔支持ユニット１０は、ベースシャフト２４の上方に被検者眼Ｅが位置するように、被検者の顔（頭）を支持する。すなわち、顔支持ユニット１０は、照明ユニット６０及び顕微鏡ユニット７０に対して被検者側に配置されている。顔支持ユニット１０は、ベース２に固定され鉛直方向に延びて配置されている支柱１１と、被検者の額を支持する額当１２と、被検者の顎を支持する顎台１３と、顎台１３の高さを調節するためのノブ１４と、を備えており、ベース２を介してテーブル１に固定されている。
【００１６】
照明ユニット６０は、スリット照明ユニット４０と、補助照明ユニット５０と、を備えている。スリット照明ユニット４０は、スリット（照明）光、スポット光、等を被検者眼に投光（投射）して、被検者眼を照明するための照明ユニットである。補助照明ユニット５０は、被検者眼全体に照明光（拡散光）を投光し、被検者眼の前眼部等を照明するための照明ユニットである。補助照明ユニット５０は、観察部位の撮影時に観察部位周辺を照明するために用いられる。カメラで撮影された画像に、観察部位とその周辺が写り込むことにより、観察部位の位置が把握し易くなる。スリット照明ユニット６０の筐体（鏡筒）６１内には、スリット照明ユニット４０用の第１光源と、補助照明ユニット５０用の第２光源とが収められている。
【００１７】
スリット照明ユニット（主照明ユニット）４０において、白色光を発する発光ダイオード（ＬＥＤ：Light Emitting Diode）である第１光源４１からの白色光（可視光）は、コンデンサレンズ４２を透過して可変アパーチャ４３及び可変スリット４４を照明する。アパーチャ４３及びスリット４４を通過した白色光は、投影レンズ４５を透過してプリズムミラー４６で反射され、被検者眼Ｅに投射される。このような構成により、スリット照明光学系４０оが成立する。第１光源４１を出射した光は光軸Ｌ１に沿って導光される。
【００１８】
補助照明ユニット５０において、白色光を発するＬＥＤである第２光源５１からの白色光（可視光）は、ファイバ５２の入射端５２ａに入射され、ファイバ５２の出射端５２ｂから拡散光として出射される。ファイバ５２の出射端５２ｂから出射された照明光により、被検者眼の広い範囲が照明される。このような構成により、補助照明光学系５０оが成立する。第２光源５１としては、第１光源４１と同じ白色光を発するものが適用される。ここでは、第１光源４１と第２光源５１は、同じＬＥＤが使用されている。  ファイバ５２の入射端５２ａは、できるだけ光源５１に近接して配置される。これにより、補助照明光学系５０оにおいて、光学部材の点数を減らし、照明ユニット６０を小型化できる。ファイバ５２は、ファイバ５２の先端を自由な位置に固定できるように、フレキシブルアーム５３に覆われている。ファイバ５２の入射端側は、固定部材５４により筐体６１（図２では省略）に固定されている。
【００１９】
第１光源４１及び第２光源５１は、一つの基板（同一基板）６２上に隣接して配置されている。基板６２は、第１光源４１及び第２光源５１を保持する保持部材として機能すると共に、ＬＥＤを発光させるための駆動電流を調整する制御回路と、発光したＬＥＤの熱を放出するための放熱器を兼ねている。このため、光源４１及び５１は、近接して配置されることとなる。光源４１及び５１は、指向性を持っているため、近接して配置されても、各照明光学系（４０о、５０о）に、それぞれの照明光を導光できる。また、光源４１及び５１を同一基板上に配置することにより、配線、電源供給等がし易くなり、装置全体の大型化、複雑化を抑制できる。また、補助照明ユニット５０の光源を筐体６１内に収めることにより、光源類を被検者眼から遠ざけて被検者眼への熱の悪影響を低減できる。
【００２０】
基板６２に配置された第２光源５１は、移動機構６０Ａによって、導光光学系としのファイバ５２から分離され、第１光源４１に代えて、スリット照明光学系４０оの第１光源４１が位置していた所定位置に移動される。移動機構６０Ａは、基板６２、スライダ６３、ピン６４、レバー６５を含む。基板６２は、筐体６１内で水平方向にスライド移動可能なスライド機構であるスライダ６３上に固定配置されている。スライダ６３の下部には、窪み６３ａ及び６３ｂが形成されている。窪み６３ａは、光源４１の下部（光軸Ｌ１）上に形成され、窪み６３ｂは、光源５１の下部に形成されている。スライダ６３の下方で、光軸Ｌ１上にはスライダ６３の位置決め用のストッパとなるピン６４が配置されている。ピン６４は、窪み６３ａ及び６３ｂと嵌合可能な形状とされている。ピン６４は、バネ等の弾性体により上方へと付勢されている。スライド６３の下部には、スライド移動を筐体６１の外側から操作するための操作部材であるレバー６５が固定されている。
【００２１】
ピン６４が窪み６３ａに嵌合することにより、第１光源４１は、光軸Ｌ１上に位置決めされる。レバー６５が操作され、スライダ６３に力が加わると（図では右方向）、ピン６４は、下方へと押され窪み６３ａとの嵌合状態が解除される。さらに、スライダ６３が移動され、光軸Ｌ１上に窪み６３ｂが位置すると、ピン６４は窪み６３ｂへに嵌合する。このようにして、レバー６５の操作により、光軸Ｌ１上（スリット照明光学系４０оの所定位置）に光源５１を位置決めできる。なお、ピン６４による嵌合は、レバー６５を介したクリック感により操作者に伝わる。
【００２２】
前述のように、光源４１及び５１は近接して配置されているため、スライダ６３、レバー６５の移動量は小さくてよい。このため、スライダ６３等の移動機構を小さくでき、照明ユニット６０の大型化を抑制できる。
【００２３】
顕微鏡ユニット７０において、被検者眼Ｅで反射された白色光は、対物レンズ７１と変倍光学系７２とハーフミラー７３と結像レンズ７４とを透過し、正立プリズム７５で反射される。プリズム７５で反射された白色光は、視野絞り７６を通過して接眼レンズ７７を透過し、検者の眼Ｆに入射する。このような構成により、観察光学系７０оが成立する。
【００２４】
被検者眼Ｅで反射されてハーフミラー７３で反射された白色光は、リレーレンズ７８を透過してカメラ８０に入射する。なお、図１では、カメラ８０の図示を略している。このような構成により、撮影光学系８０ａが成立する。
【００２５】
カメラ８０は、可視光に感度を持つＣＣＤを備えたデジタルカメラである。カメラ８０は、装置を統括・制御する制御部８５に接続されており、制御部８５には、撮影画像を記憶するメモリ８６、カメラ８０で取得した画像を表示するモニタ８７、スイッチ２３が接続されている。スイッチ２３が押されると、制御部８５は、指令信号に基づいてカメラ８０によって撮像された画像を取り込み、モニタ８７に表示させる。  以上のような構成を有する装置の動作について説明する。検者は、検査に先立ち、スリットランプ１００の電源（図示を略す）を入れる。次に、検者は、被検者に、顔を顔支持ユニット１０に固定するよう促す。検者は、スリット照明ユニット４０により被検者眼を照明し、照明された被検者眼を観察ユニット７０により観察する。検者が、被検者眼を撮影する場合、補助照明ユニット５０を用いて被検者眼全体を照明し、スイッチ２３を操作して画像を撮影する。撮影画像はモニタ８７に表示されると共にメモリ８６に記憶される。撮影画像には、スリット照明された観察部位と、補助照明光によって照明された周辺部地とが写り込んでいる。
【００２６】
ここで、第１光源４１が球切れした場合を説明する。検者が、検査中に第１光源４１が消灯してしまうと、観察・撮影が全く進められなくなる。このような場合に、第２光源５１が点灯していて、補助照明ユニット５０が利用できても、主のスリット照明光が使用できなければ、的確な眼科診断を行うことができない。眼科診断では、主のスリット照明光を使用して眼を観察することが基本検査であるためである。
そこで、検者は、レバー６５を操作することによって、第１光源４１を光軸Ｌ１から外し、第２光源５１を補助照明光学系５０оから離脱させるた上で光軸Ｌ１上に配置する。これにより、第２光源５１を用いてスリット照明ユニット４０を利用可能とできる。補助照明ユニット５０は利用できなくなるものの、スリット照明ユニット４０を用いて検査（スリット照明による観察）が続行できる。一時的にスリット照明ユニット４０を利用可能として、検査を進め、検査終了後に第１光源４１（又は、基板６２）を交換して、それ以降の検査を行う。
【００２７】
このようにして、検査の途中などに、スリット照明用の光源が球切れしても、簡単な動作でスリット照明ユニットを利用可能にでき、検査等を続行できる。
【００２８】
なお、以上の説明では、２つの光源（ＬＥＤ）を同一の基板に配置する構成としたが、これに限らない。それぞれの光源を個別の基板に配置する構成としてもよい。
【００２９】
また、以上の説明では、移動機構６０Ａは、スライダ６３を用いて、光源４１及び５１をスライド移動させる構成としたが、これには、ロータリ機構により、光軸Ｌ１上に光源５１を配置させる移動機構も含むものとする。また、スライド移動の方向は、水平に限るものではなく、光源４１及び５１の関係により移動機構の移動方向を定めればよい。
【００３０】
また、上記では、移動機構６０Ａはレバー６５等による手動の移動機構とされているが、モータ等の駆動源を持つ電動の移動機構とすることもできる。この場合、切換えスイッチの信号により制御部８５は駆動源を制御することにより、基板６２を図２の左右方向に移動し、第１光源４１に替えて光源５１を光軸Ｌ１上の所定位置に位置させる。
【００３１】
また、以上の説明では、２つの光源に、ＬＥＤを用いる構成としてが、これに限らない。好ましくは、ＬＥＤであるが、ハロゲンランプ、キセノンランプ、等を用いてもよい。
【００３２】
なお、以上説明した実施形態は当業者において種々の変容が可能であり、本発明はこのような変容も技術思想を同一にする範囲において含むものとする。
【００３３】
以上のように本発明は実施形態に限られず、種々の変容が可能であり、本発明はこのような変容も技術思想を同一にする範囲において含むものである。
【図面の簡単な説明】
【００３４】
【図１】本発明の実施形態であるスリットランプの側面図である。
【図２】スリットランプの光学系の概略構成図である。
【符号の説明】
【００３５】
１０  顔支持ユニット
２０  移動ユニット
４０  スリット照明ユニット
４１  第１光源
５０  補助照明ユニット
５１  第２光源
６０  照明ユニット
６０Ａ  移動機構
７０  顕微鏡ユニット
８０  カメラ
８５  制御部
１００  スリットランプ
【図１】
2012249700.tif 000003
【図２】
2012249700.tif 000004